(57)【要約】【課題】本発明は建築、構築物の外装を形成する乾式壁材に関するものである。【解決手段】金属製表面材１と裏面材２間に芯材３を形成し、金属製表面材１の上下端部に雄雌連結構造を形成した横長で長尺状の乾式壁材Ａにおいて、金属製表面材１の化粧面６に対して台形状に窪んだ横目地１９と縦目地２０を複数本形成することにより、化粧面６に複数段の化粧面６側に突出したブロックＢを形成し、該ブロックＢの化粧面６には岩肌調の凹凸柄２１を形成した乾式壁材である。【選択図】図５
2020002548.tif 000002
【特許請求の範囲】
【請求項１】
金属製表面材と裏面材間に芯材を形成し、金属製表面材の上下端部に雄雌連結構造を形成した横長で長尺状の乾式壁材において、金属製表面材の化粧面に対して台形状に窪んだ横目地と縦目地を複数本形成することにより、化粧面に複数段の化粧面側に突出したブロックを形成し、ブロックの化粧面には岩肌調の凹凸柄を形成したことを特徴とする乾式壁材。
【発明の詳細な説明】
【技術分野】
【０００１】
本発明は建築、構築物の内装、あるいは外装を形成する乾式壁材に関するものである。
【背景技術】
【０００２】
一般に、金属製板材をロール成形、プレス成形等して加工し、化粧面に凹凸を形成した外装材は数多く上市されている。（例えば、特許文献１〜４参照）。
【先行技術文献】
【特許文献】
【０００３】
【特許文献１】特開平１１−２４０２９４号公報
【特許文献２】特開２０００−１２０２５１号公報
【特許文献３】特開２００２−２３５４２３号公報
【特許文献４】特開２００９−１６７７７５号公報
【発明の概要】
【発明が解決しようとする課題】
【０００４】
特許文献１は「エンボス金属板」に係り、金属板をエンボスロール間に通して縦横溝目地を深くエンボシングする場合も金属板の両端の平坦部の平坦度を保つことが出来るようにしたものである。特許文献２は「エンボス加工された装飾板」に係り、ブロックにお互い角度を持って交差する２種類の斜線を基本とする平衡溝模様が刻設することにより、光の反射の影響により見た方向によって色調等が異なる効果が発揮させるものである。また、特許文献３は「壁材」に係り、凸部領域の表面に少なくとも４方向の略平行凹凸縞模様を形設して、光源の位置の変化、見る方向の変化によって、色調、色の濃淡が多様に変化するものが記載されている。さらに、特許文献４は「エンボス加工金属製外壁材」に係り、斜平面の位置が互いに異なる区画面を、それぞれ交互に長手方向に隣接する装飾面を形成したものである。
【０００５】
しかしながら、特許文献１〜４共に、金属製板材の化粧面にエンボスを施して意匠性、加工性等を向上する思想は存在するものの、単調な外観が繰り返され、画一化された光りの反射を利用しただけのもので有った。また、特許文献４は区画面に形成された斜平面の位置が、長手方向に沿って上、下、上、下、・・・のように斜平面交互に繰り返された単調な模様でしかなかった。
【課題を解決するための手段】
【０００６】
本発明はこのような欠点を解決するために、金属製表面材と裏面材間に芯材を形成し、金属製表面材の上下端部に雄雌連結構造を形成した横長で長尺状の乾式壁材において、金属製表面材の化粧面に対して台形状に窪んだ横目地と縦目地を複数本形成することにより、化粧面に複数段の化粧面側に突出したブロックを形成し、ブロックの化粧面には岩肌調の凹凸柄を形成した乾式壁材を提供するものである。
【発明の効果】
【０００７】
本発明に係る乾式壁材によれば、（１）横目地の凹部を凹部上傾斜片、凹部下傾斜片、平面とから台形状に形成することにより凸部と平面間の境界を明確にした横目地となる。（２）岩肌調の凹凸柄が、自然な風合いを形成する。等の特徴、効果がある。
【図面の簡単な説明】
【０００８】
【図１】本発明に係る乾式壁材の代表例を示す断面図である。
【図２】本発明に係る乾式壁材の代表例を示す部分拡大断面図である。
【図３】本発明に係る乾式壁材の施工状態を示す断面図である。
【図４】本発明に係る乾式壁材の代表例を示す断面図である。
【図５】本発明に係る乾式壁材の代表例を示す正面図である。
【図６】本発明に係る乾式壁材の化粧面を示す断面図である。
【図７】本発明に係る乾式壁材の化粧面を示す断面図である。
【発明を実施するための形態】
【実施例】
【０００９】
以下に図面を用いて、本発明に係る乾式壁材の一実施例について詳細に説明する。すなわち、乾式壁材Ａは図１、図２（ａ）、（ｂ）、図３、図４に示すように、金属製表面材１と裏面材２で例えば合成樹脂発泡体からなる芯材３をサンドイッチした乾式壁材Ａである。また、図３は施工状態を示す断面図であり、αは躯体、βは固定具、γは連結部である。なお、図１〜図４においては、化粧面６部分の凹凸模様（エンボス模様）を省略して簡略化して示したものであり、詳細は図５に示すものである。
【００１０】
金属製表面材１と裏面材２は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をエンボスロール成形、あるいはプレス成形したものである。また、裏面材２としてはアルミニウム蒸着紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものでも良いものである。
【００１１】
芯材３は例えばポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、金属製表面材１、もしくは裏面材２の裏面側に吐出し、加熱して反応・発泡・硬化させて金属製表面材１と裏面材２を一体に形成するものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることも出来る。
【００１２】
乾式壁材Ａ同士は、係合片１０が嵌合溝１６へ、係合溝１１には嵌合片１４が連結されることにより、図３に示すように連結されるものである。
【００１３】
乾式壁材Ａの全体形状の一例としては図１、図２（ａ）、（ｂ）に示すように、長尺で金属製の薄板からなる金属製表面材１と裏面材２間に芯材３をサンドイッチし、幅方向の一端に形成した雄型連結部４、他端に形成した雌型連結部５とから形成し、化粧面６の下端には下側壁７、上端には上側壁８を形成したものである。
【００１４】
さらに詳説すると、雄型連結部４は化粧面６下端を裏面側に屈曲した下側壁７と、下側壁７の先端を下方に垂下した横目地底面７ａと、横目地底面７ａの先端を裏面側に折り返し、先端を上方へ延設した上面７ｂと、上面７ｂと目地底面７ａからなる突出片９と、上面７ｂの先端を裏面側下方に垂下した係合片１０と、上面７ｂと係合片１０とからなる係合溝１１とから形成したものである。
【００１５】
雌型連結部５は化粧面６の上端を裏面側に屈曲した上側壁８と、上側壁８の先端を上方に屈曲した目地底面８ａと、上側壁８と目地底面８ａ間に上方向に突出した段差１２と、目地底面８ａ先端を裏面側下方に屈曲した下面１３と、目地底面８ａと下面１３とからなる嵌合片１４と、下面１３の先端を上方に屈曲して突出した固定面１５と、下面１３と固定面１５とから形成した嵌合溝１６とから形成したものである。なお、Ｐは防水性強化のために形成したパッキンである。
【００１６】
化粧面６は、化粧面６を詳細に示した図４〜図６に示すように、化粧面６に対して裏面側に凹状に窪んだ凹部１７と、化粧面６に対して表面側に凸状に突出した凸部１８と、図８に示すように台形状に窪んだ横目地１９と、凸部１８を適宜間隔で凹状に窪ませた縦目地２０と、横目地１９と縦目地２０により形成されたブロックＢを形成したものである。なお、図における凹凸柄２１は岩肌調である。
【００１７】
横目地１９は図４〜図６に示すように、凹部９を凹部上傾斜片１７ａ、凹部下傾斜片１７ｂ、平面１７ｃとから台形状に形成したものである。また、横目地１９の平面１７ｃと凹部下傾斜片１７ｂ間に裏面側に突出した溝１７ｄを形成することにより、境界を明確にし、すっきりとした横目地１９とするものである。
【００１８】
縦目地２０は図７に示すような台形状のものである。
【符号の説明】
【００１９】
α  躯体
β  固定具
γ  連結目地
Ａ  乾式壁材
Ｂ  ブロック
Ｐ  パッキン
１  金属製表面材
２  裏面材
３  芯材
４  雄型連結部
５  雌型連結部
６  化粧面
７  下側壁
７ａ  横目地底面
７ｂ  上面
８  上側壁
８ａ  目地底面
８ｂ  上面
９  突出片
１０  係合片
１１  係合溝
１２  段差
１３  下面
１４  嵌合片
１５  固定面
１６  嵌合溝
１７  凹部
１７ａ  凹部上傾斜片
１７ｂ  凹部下傾斜片
１７ｃ  平面
１７ｄ  溝
１８  凸部
１９  横目地
２０  縦目地
２１  凹凸柄
【図１】
2020002548.tif 000003
【図２】
2020002548.tif 000004
【図３】
2020002548.tif 000005
【図４】
2020002548.tif 000006
【図５】
2020002548.tif 000007
【図６】
2020002548.tif 000008
【図７】
2020002548.tif 000009